(57)【要約】【課題】  小形の部品等がベルトとガイド板等の他部材の間に挟まることを防ぎ、部品を確実に搬送することができるベルトコンベアを提供する。【解決手段】  駆動軸１８と従動軸２０との間にベルト１２が掛け渡され、駆動軸１８と従動軸２０を基材２３の両端部に有する。ベルト１２は、その長手方向に沿った両側縁部に設けられ長手方向の全周にわたりベルト１２の外表面１２ａより突出して形成されたガイド突起１４と、ガイド突起１４の突出端部に形成されベルト１２の長手方向に沿って全周に形成された凹溝１６を備える。ベルトコンベア１０の搬送部１１側でベルト１２のガイド突起１４に対向し、ベルトコンベア１０の搬送部１１に沿って位置したガイド板３２を備える。ガイド板３２のガイド突起１４に対向する先端部は、ガイド突起１４の凹溝１６内に嵌合して摺動可能に設けられている。【選択図】図１
2005212989.tif 000002
【特許請求の範囲】
【請求項１】
駆動軸と従動軸との間にベルトが掛け渡され、この駆動軸と従動軸を基材の両端部に保持したベルトコンベアにおいて、上記ベルトの長手方向に沿った両側縁部に設けられ長手方向の全周にわたりベルトの外表面より突出して形成されているガイド突起と、上記ガイド突起の突出端部に形成され上記ベルトの長手方向に沿って全周に形成された凹溝と、上記ベルトコンベアの搬送部側で上記ベルトの上記ガイド突起に対向し上記ベルトコンベアの搬送部に沿って位置したガイド板が設けられ、このガイド板の上記ガイド突起に対向する先端部は、上記ガイド突起の凹溝内に嵌合して摺動可能に設けられていることを特徴とするベルトコンベア。
【請求項２】
上記ガイド板は、上記基材に保持部材を介して取り付けられ、上記ガイド板と上記保持部材との間は、上記ベルトが動作するときに生じる横揺れを吸収するあそびが設けられていることを特徴とする請求項１記載のベルトコンベア。
【請求項３】
上記ガイド突起は、上記ベルトを形成した材料と一体に設けられていることを特徴とする請求項１記載のベルトコンベア。
【発明の詳細な説明】
【技術分野】
【０００１】
この発明は、機械部品等をベルトの上に載せて搬送するベルトコンベアに関する。
【背景技術】
【０００２】
従来、例えば機械部品を組み立て装置に運ぶベルトコンベアは、縦長の基材の両端に駆動軸と従動軸が取り付けられ、この両軸の間に無端ベルトが掛け渡されている。そして、駆動軸をモータで動かしてベルトを送り、機械部品を搬送する。
【特許文献１】特開平３−１８５０６号公報
【発明の開示】
【発明が解決しようとする課題】
【０００３】
上記従来の技術のベルトコンベアは、搬送する機械部品等が横に落ちないように、ベルトコンベアの上面側である搬送部側で、ベルトの搬送面よりも上方に突出したガイド板をベルトコンベアの側面に設ける場合がある。しかしこの場合でも、ベルトとガイド板の隙間に機械部品等をかみこんで、ベルトを止めたり機械部品等を傷付けたりすることがある。そこでこれを防ぐために、搬送部側のベルトの表面に長手方向に沿って、ガイド板を立設することも考えられる。しかし、小型化、薄型化された部品、例えば半導体などの電子部品や精密機械部品は、ベルト表面とガイド板との僅かな間にも挟みこまれる恐れがある。また機械部品を加工直後に搬送する場合は、加工屑がいっしょにベルトに載せられるため、この加工屑もベルトとガイド板の間に挟まりやすかった。
【０００４】
この発明は、上記従来の技術の問題点に鑑みてなされたものであり、小形の部品等がベルトとガイド板等の他部材の間に挟まることを防ぎ、部品を確実に搬送することができるベルトコンベアを提供することを目的とする。
【課題を解決するための手段】
【０００５】
本発明は、駆動軸と従動軸との間にベルトが掛け渡され、この駆動軸と従動軸を基材の両端部に保持したベルトコンベアであって、上記ベルトの長手方向に沿った両側縁部に設けられ長手方向の全周にわたりベルトの外表面より突出して形成されているガイド突起と、上記ガイド突起の突出端部に形成され上記ベルトの長手方向に沿って全周に形成された凹溝と、上記ベルトコンベアの搬送部側で上記ベルトの上記ガイド突起に対向し上記ベルトコンベアの搬送部に沿って位置したガイド板が設けられ、このガイド板の上記ガイド突起に対向する先端部は、上記ガイド突起の凹溝内に嵌合して摺動可能に設けられているベルトコンベアである。
【０００６】
上記ガイド板は、上記基材に保持部材を介して取り付けられ、上記ガイド板と上記保持部材との間は、上記ベルトが動作するときに生じる横揺れを吸収するあそびが設けられているものである。また、上記ガイド突起は、上記ベルトを形成した材料と一体に設けられている。上記ガイド突起は、例えば上記ベルトの長手方向に対してほぼ直交する方向の断面形状が台形であり、台形の上面に凹溝が設けられている。
【発明の効果】
【０００７】
この発明のベルトコンベアは、簡単な構造で被搬送物がベルトとガイド板等の他部材との間に挟まることを防ぎ、確実に搬送することができる。これにより、搬送が中断されることがなく、搬送効率も良好なものとすることができる。
【発明を実施するための最良の形態】
【０００８】
以下、この発明の実施形態について図面に基づいて説明する。図１〜図３はこの発明の一実施形態を示すもので、この実施形態のベルトコンベア１０は、耐油性の樹脂製の無端ベルト１２が設けられ、ベルト１２の被搬送物を載せる外表面１２ａには、ガイド突起１４が一体に設けられている。ガイド突起１４は、ベルト１２の長手方向に沿う一対の側縁部１２ｂに各々形成され、ベルト１２の全周にわたって設けられている。ガイド突起１４は、ベルト１２の長手方向に対してほぼ直交する方向の断面形状は台形であり、突出端部の上面１４ａには、一対の凹溝１６が各々形成されている。凹溝１６の断面形状は、長方形や、底部が狭い台形などである。また、ベルト１２のガイド突起１４以外の部分には、透孔１７が一面に均等に設けられている。
【０００９】
ベルト１２は、駆動軸１８と従動軸２０の間に掛け渡されている。駆動軸１８には、図示しない駆動プーリが固定され、この駆動プーリにベルト１２が掛けられている。駆動軸１８には、図示しない駆動ギア装置が接続され、駆動ギア装置は図示しないモータと接続している。さらに、駆動軸１８は支持部材２２に軸支され、支持部材２２は基材２３の一端部に固定されている。従動軸２０には、従動プーリが固定され、従動軸が支持部材２４に軸止され、支持部材２４は基材２３の他端部に固定されている。
【００１０】
ベルトコンベア１０の搬送部１１側には、支持部材２２，２４より少し内側の基材２３に、基材２３の搬送部１１の面に対して直角な側縁部２３ａに、保持部材２６がボルト２８で取り付けられている。保持部材２６は、ベルトコンベア１０の搬送部１１に対して直角方向に設けられ、保持部材２６の上端部２６ａは、ベルト１２よりも上方に位置している。保持部材２６は、例えば基材２３の長手方向に沿って３ヶ所に、そして一対の側縁部２３ａに各一個互いに対向して設けられている。
【００１１】
保持部材２６の上端部２６ａの、ベルト１２側の面には、カラー部材３０を介してガイド板３２がボルト３４で固定されている。ガイド板３２は、基材２３のほぼ全長にわたって設けられ、ベルト１２のガイド突起１４の凹溝１６の内側の一方に対面する位置に取り付けられている。ガイド板３２の下端部３２ａは、ガイド板３２の厚み方向の中心に向かって細く形成され、ベルト１２のガイド突起１４の、凹溝１６の幅よりも薄く形成されている。ガイド板３２は、ボルト３４が最後まで締められず、わずかなあそび３３を有して取り付けられている。ここでは例えば１ｍｍ程度である。あそびに３３には、ブッシュを嵌めこんでも良い。
【００１２】
ベルト１２の往復路の間の搬送部１１の下方には、受皿３６が基材２３に取り付けられている。受皿３６は、基材２３のほぼ全長にわたって設けられ、一方の側縁部２３ａ側に傾斜して、ベルト１２の透孔１７から落下した水や油を受けて排出する。
【００１３】
次にこの実施形態のベルトコンベア１０の動作について説明する。先ず、ガイド板３２は、その下端部３２ａを、ベルト１２のガイド突起１４の凹溝１６の内側に嵌合するように高さを調整する。次に、駆動軸１８により駆動プーリを介してベルト１２を動かすと、凹溝１６にガイド板３２の下端部３２ａが嵌合された状態で、摺動しながらベルト１２が動く。
【００１４】
そして、ベルト１２に被搬送物である部品を載せて搬送する。作動中はベルト１２の振動が伝わって部品が動くが、ベルト１２のガイド突起１４の側面に接触するためベルト１２の側方に落ちることを規制する。さらに、部品がガイド突起１４を飛び越えることが生じても、ガイド突起１４の凹溝１６にガイド板３２が嵌合されて設けられているため、ベルト１２の側方に落ちることがなく、部品がベルト１２と基材２３等の間に挟まる事故も防ぐ。
【００１５】
この実施形態のベルトコンベア１０によれば、被搬送物である部品等が安全に搬送され、ベルト１２の側方に落ちたり、ベルト１２とガイド板３２の間に挟まって、ベルトを止めたり部品を傷つけたりする事故を防ぐことができる。また、部品が円滑に搬送されることから、製造効率も良好となる。
【００１６】
また、加工直後の機械部品等を加工屑といっしょに運搬する際も、加工屑がベルト１２とガイド板３２の間に挟まることがなく、安全である。部品を加工した際に部品に付着した水や油は、搬送する途中でベルト１２の透孔１７から落下するため、水や油がベルトコンベア端にたまることが無く、部品も乾きやすくなる。ベルト１２から落下した水と油は、受皿３６に落下して排出されるため、簡単で衛生的である。ガイド板３２は、あそび３３を有して取り付けられているため、ベルト１２が蛇行してもベルト１２に無理な力が掛からず安全である。
【００１７】
なお、この発明のベルトコンベアは上記実施の形態に限定されるものではなく、各部材の形状や素材等、適宜変更可能である。搬送するものは、機械部品以外でもよく、搬送するものに合わせてベルトの幅や厚み、ガイド突起の高さ等を適宜変更し、また透孔を無くしても良い。ガイド突起は、ベルトに接着して取り付けても良い。
【図面の簡単な説明】
【００１８】
【図１】この発明の一実施形態のベルトコンベアの拡大縦断面図である。
【図２】この実施形態のベルトコンベアの右側面図である。
【図３】この実施形態のベルトコンベアの概略平面図である。
【符号の説明】
【００１９】
１０  ベルトコンベア
１１  搬送部
１２  ベルト
１４  ガイド突起
１６  凹溝
１７  透孔
１８  駆動軸
２０  従動軸
２２，２４  支持部材
２３  基材
２６  保持部材
２８，３４  ボルト
３０  カラー部材
３２  ガイド板
３３  あそび
【図１】
2005212989.tif 000003
【図２】
2005212989.tif 000004
【図３】
2005212989.tif 000005